【手続補正書】
【提出日】平成27年2月3日(2015.2.3)
【手続補正１】
【補正対象書類名】特許請求の範囲
【補正対象項目名】全文
【補正方法】変更
【補正の内容】
【特許請求の範囲】
【請求項１】
放射線ベースの皮膚科治療を提供するための自己内蔵型手持ち式デバイスであって、該デバイスは、
ユーザによって手で持たれるように構成されたデバイス本体と、
該デバイス本体の中に支持されたレーザデバイスであって、該レーザデバイスは、レーザ放射線を放出するように構成された単一のレーザビーム源を含む、レーザデバイスと、
治療期間中に皮膚の表面を横断して手動で移動させられるように構成された適用端部と、
該治療期間中に該単一のレーザビーム源をパルス化するようにプログラムされた電子機器であって、それにより、該レーザビーム源は、一連のパルス化されたレーザビームを該皮膚まで放出して該皮膚において治療スポットの配列を生成し、それによって、該皮膚において部分治療を提供し、該皮膚における隣接した治療スポットは、該隣接した治療スポットの間の治療されない皮膚の領域によって相互から離間されている、電子機器と
を備え、
該パルス化されたレーザビーム源によって放出される各ビームは、該デバイス本体に対して同一の固定伝搬経路を有し、
該デバイスは、該レーザ源の下流に光学機器を含まず、
各治療スポットは、１．０ｍｍ２未満の瞬間的な面積を有し、
該デバイスは、一度に１つの治療スポットを生成するように構成されており、
特定の方向に沿う該デバイスの各手動の滑走は、該特定の方向に沿う離間した治療スポットの１次元配列を生成する、デバイス。
【請求項２】
前記レーザビーム源の下流に窓またはフィルムをさらに備える、請求項１に記載のデバイス。
【請求項３】
前記適用端部が前記皮膚と接触しているとき、前記レーザビーム源は、空隙のみによって前記皮膚表面から分離される、請求項１に記載のデバイス。
【請求項４】
各治療スポットは、０．４ｍｍ２未満の瞬間的な面積を有する、請求項１に記載のデバイス。
【請求項５】
各治療スポットは、０．１ｍｍ２未満の瞬間的な面積を有する、請求項１に記載のデバイス。
【請求項６】
各治療スポットは、０．０５ｍｍ２未満の瞬間的な面積を有する、請求項１に記載のデバイス。
【請求項７】
前記ビーム源は、１から５０Ｈｚの間のパルス繰返し周波数でパルス化されたビームを放出するように制御されている、請求項１に記載のデバイス。
【請求項８】
前記ビーム源は、１５から２５Ｈｚの間のパルス繰返し周波数でパルス化されたビームを放出するように制御されている、請求項１に記載のデバイス。
【請求項９】
変位制御システムをさらに備え、該変位制御システムは、
前記皮膚に対する前記デバイスの変位を決定するように構成された変位センサと、
該皮膚に対する該デバイスの該決定された変位に基づいて、該デバイスの少なくとも１つの動作パラメータを制御するように構成された電子機器と
を含む、請求項１に記載のデバイス。
【請求項１０】
前記適用端部が前記デバイスと接触しているか否かを決定するための信号を生成するように構成された少なくとも１つの接触センサと、
該少なくとも１つの接触センサからの信号に基づいて、該デバイスの少なくとも１つの動作パラメータを制御するように構成された制御装置と
をさらに備える、請求項１に記載のデバイス。
【請求項１１】
前記レーザビーム源は、エミッタ表面を有し、
該エミッタ表面は、前記適用端部が前記皮膚と接触しているときに、該レーザビーム源の該エミッタ表面が前記皮膚表面から１０ｍｍ未満だけ離間されるように配設される、請求項１に記載のデバイス。
【請求項１２】
前記レーザビーム源は、エミッタ表面を有し、
該エミッタ表面は、前記適用端部が前記皮膚と接触しているときに、該レーザビーム源の該エミッタ表面が前記皮膚表面から２ｍｍ未満だけ離間されるように配設される、請求項１に記載のデバイス。
【請求項１３】
前記レーザビーム源は、エミッタ表面を有し、
該エミッタ表面は、前記適用端部が前記皮膚と接触しているときに、該レーザビーム源の該エミッタ表面が前記皮膚表面から１ｍｍ未満だけ離間されるように配設される、請求項１に記載のデバイス。
【請求項１４】
前記レーザビーム源は、エミッタ表面を有し、
該エミッタ表面は、前記適用端部が前記皮膚と接触しているときに、該レーザビーム源の該エミッタ表面が前記皮膚表面から０．５ｍｍ未満だけ離間されるように配設される、請求項１に記載のデバイス。
【請求項１５】
前記レーザデバイスは、複数のレーザビーム源を備え、各レーザビーム源は、レーザビームを生成するように構成されている、請求項１に記載のデバイス。
【請求項１６】
前記皮膚を横断する前記デバイスの１回以上の手動の滑走を含む治療期間中、該治療期間中に生成されたすべての他の治療スポットに対する各治療スポットの場所は、該皮膚を横断する該デバイスの手動の移動に依存する、請求項１に記載のデバイス。
【請求項１７】
前記パルス化されたレーザビーム源によって放出される各ビームは、前記皮膚表面に対する入射に関して、少なくとも１つの方向において発散性である、請求項１に記載のデバイス。
【請求項１８】
前記レーザビーム源は、端面放射型レーザダイオードを備え、
該端面放射型レーザダイオードによって放出される各パルス化されたエネルギービームは、前記皮膚表面に対する入射に関して、ファスト軸およびスロー軸の両方において発散性である、請求項１に記載のデバイス。
【請求項１９】
前記レーザデバイスは、固体レーザを備える、請求項１に記載のデバイス。
【請求項２０】
前記レーザデバイスは、端面放射型レーザダイオードを備える、請求項１に記載のデバイス。
【請求項２１】
レーザデバイス源は、レーザダイオードバーを備える、請求項１に記載のデバイス。
【請求項２２】
前記レーザデバイスは、ＶＣＳＥＬレーザを備える、請求項１に記載のデバイス。
【請求項２３】
前記デバイスの前記適用端部から放出される前記レーザ放射線は、ＩＥＣ  ６０８２５−１によるＣｌａｓｓ  １Ｍまたはより良好な眼の安全分類を満たす、請求項１に記載のデバイス。
【請求項２４】
放射線ベースの皮膚科治療を提供するための自己内蔵型手持ち式デバイスであって、該デバイスは、
ユーザによって手で持たれるように構成されたデバイス本体と、
該デバイス本体の中に支持されたレーザデバイスであって、該レーザデバイスは、レーザ放射線を放出するように構成されたレーザビーム源を含む、レーザデバイスと、
治療期間中に皮膚の表面を横断して手動で移動させられるように構成された適用端部と、
レーザ放射線を該皮膚に向かって放出して皮膚科治療を提供するよう、該レーザビーム源を制御するように構成された電子機器と、
変位制御システムと
を備え、
該デバイスは、該レーザ源の下流に光学機器を含まず、
該変位制御システムは、
該皮膚との相互作用に基づいて信号を生成するように構成された変位センサと、
電子機器と
を含み、
該電子機器は、
該変位センサからの信号を分析することにより、該皮膚における特定の皮膚特徴の事例を識別することと、
該特定の皮膚特徴の識別された事例の数を数えることと、
該特定の皮膚特徴の識別された事例の数えられた数に基づいて、該デバイスの少なくとも１つの動作パラメータを制御することと
を行うように構成されている、デバイス。
【手続補正２】
【補正対象書類名】明細書
【補正対象項目名】００３２
【補正方法】変更
【補正の内容】
【００３２】
いくつかの実施形態では、本デバイスは、１日に１回または２回、数分以下の治療期間を含む、家庭用治療計画を使用して、部分治療を提供するために好適であり得る。いくつかの実施形態では、例えば、２分の治療期間が、約２０〜３０ｃｍ２（約４インチ２）の効果的な治療を可能にしてもよい。さらに、ある実施形態は、小型バッテリの使用を可能にし、かついずれのファンも伴わずに熱制御を可能にする。例えば、いくつかの実施形態では、銅の小型円筒形ブロックが、治療期間中にレーザから廃熱を吸収し、ファンを使用することなくダイオードの過剰な温度上昇を防止することができる。他の実施形態は、デバイス構成要素の増加した冷却のために少なくとも１つのファンを含んでもよい。
本願明細書は、例えば、以下の項目も提供する。
（項目１）
放射線ベースの皮膚科治療を提供するための自己内蔵型手持ち式デバイスであって、該デバイスは、
ユーザによって手で持たれるように構成されたデバイス本体と、
該デバイス本体の中に支持されるレーザデバイスであって、該レーザデバイスは、レーザ放射線を放出するように構成されたレーザビーム源を含む、レーザデバイスと、
治療期間中に皮膚の表面を横断して手動で移動させられるように構成された適用端部と、
該皮膚に向かってレーザ放射線を放出して皮膚科治療を提供するよう、該レーザビーム源を制御するように構成された電子機器と
を備え、該デバイスは、該レーザ源の下流に光学機器を含まない、デバイス。
（項目２）
前記レーザビーム源の下流に窓またはフィルムをさらに備える、項目１に記載のデバイス。
（項目３）
前記適用端部が前記皮膚と接触しているとき、前記レーザビーム源は、空隙のみによって前記皮膚表面から分離される、項目１に記載のデバイス。
（項目４）
一連のパルス化ビームを前記皮膚まで放出して該皮膚の上に治療スポットの配列を生成するよう、前記レーザビーム源をパルス化するように構成された電子機器をさらに備え、該皮膚の上に生成された隣接した治療スポットは、該隣接した治療スポットの間の治療されない皮膚の領域によって相互から離間されている、項目１に記載のデバイス。
（項目５）
各治療スポットは、１．０ｍｍ２未満の瞬間的な面積を有する、項目４に記載のデバイス。
（項目６）
各治療スポットは、０．４ｍｍ２未満の瞬間的な面積を有する、項目４に記載のデバイス。
（項目７）
各治療スポットは、０．１ｍｍ２未満の瞬間的な面積を有する、項目４に記載のデバイス。
（項目８）
各治療スポットは、０．０５ｍｍ２未満の瞬間的な面積を有する、項目４に記載のデバイス。
（項目９）
前記パルス化レーザビーム源によって放出される各ビームは、前記デバイス本体に対して同一の固定伝搬経路を有する、項目４に記載のデバイス。
（項目１０）
前記ビーム源は、１から５０Ｈｚの間のパルス繰返し周波数でパルス化ビームを放出するように構成されている、項目４に記載のデバイス。
（項目１１）
前記ビーム源は、１５から２５Ｈｚの間のパルス繰返し周波数でパルス化ビームを放出するように構成されている、項目４に記載のデバイス。
（項目１２）
変位制御システムをさらに備え、該変位制御システムは、
前記皮膚に対する前記デバイスの変位を決定するように構成された変位センサと、
該皮膚に対する該デバイスの該決定された変位に基づいて、該デバイスの少なくとも１つの動作パラメータを制御するように構成された電子機器と
を含む、項目４に記載のデバイス。
（項目１３）
前記適用端部が前記デバイスと接触しているか否かを決定するための信号を生成するように構成された少なくとも１つの接触センサと、
該少なくとも１つの接触センサからの信号に基づいて、該デバイスの少なくとも１つの動作パラメータを制御するように構成された制御装置と
をさらに備える、項目１に記載のデバイス。
（項目１４）
前記パルス化レーザビーム源によって放出される各ビームは、前記デバイス本体に対して同一の固定伝搬経路を有する、項目１に記載のデバイス。
（項目１５）
前記レーザビーム源は、エミッタ表面を有し、
該エミッタ表面は、前記適用端部が前記皮膚と接触しているときに、該レーザビーム源の該エミッタ表面が前記皮膚表面から１０ｍｍ未満だけ離間されるように配設される、項目１に記載のデバイス。
（項目１６）
前記レーザビーム源は、エミッタ表面を有し、
該エミッタ表面は、前記適用端部が前記皮膚と接触しているときに、該レーザビーム源の該エミッタ表面が前記皮膚表面から２ｍｍ未満だけ離間されるように配設される、項目１に記載のデバイス。
（項目１７）
前記レーザビーム源は、エミッタ表面を有し、
該エミッタ表面は、前記適用端部が前記皮膚と接触しているときに、該レーザビーム源の該エミッタ表面が前記皮膚表面から１ｍｍ未満だけ離間されるように配設される、項目１に記載のデバイス。
（項目１８）
前記レーザビーム源は、エミッタ表面を有し、
該エミッタ表面は、前記適用端部が前記皮膚と接触しているときに、該レーザビーム源の該エミッタ表面が前記皮膚表面から０．５ｍｍ未満だけ離間されるように配設される、項目１に記載のデバイス。
（項目１９）
前記レーザデバイスは、複数のレーザビーム源を備え、各レーザビーム源は、レーザビームを生成するように構成されている、項目１に記載のデバイス。
（項目２０）
前記レーザデバイスは、単一のレーザビーム源を備える、項目１に記載のデバイス。
（項目２１）
前記単一のレーザビーム源は、一連のパルス化ビームを前記皮膚まで放出して、該皮膚の上に治療スポットの配列を生成するようにパルス化され、該皮膚の上に生成された隣接した治療スポットは、該隣接した治療スポットの間の治療されない皮膚の領域によって相互から離間され、
特定の方向に沿う前記デバイスの各手動の滑走は、該特定の方向に沿う離間した治療スポットの１次元配列を生成する、項目２０に記載のデバイス。
（項目２２）
前記皮膚を横断する前記デバイスの１回以上の手動の滑走を含む治療期間中、該治療期間中に生成されたすべての他の治療スポットに対する各治療スポットの場所は、該皮膚を横断する該デバイスの手動の移動に依存する、項目２０に記載のデバイス。
（項目２３）
パルス化された前記レーザビーム源によって放出される各ビームは、前記皮膚表面に対する入射に関して、少なくとも１つの方向において発散性である、項目１に記載のデバイス。
（項目２４）
前記レーザビーム源は、端面放射型レーザダイオードを備え、
該端面放射型レーザダイオードによって放出される各パルス化エネルギービームは、前記皮膚表面に対する入射に関して、ファスト軸およびスロー軸の両方において発散性である、項目１に記載のデバイス。
（項目２５）
前記レーザデバイスは、固体レーザを備える、項目１に記載のデバイス。
（項目２６）
前記レーザデバイスは、端面放射型レーザダイオードを備える、項目１に記載のデバイス。
（項目２７）
前記レーザデバイス源は、レーザダイオードバーを備える、項目１に記載のデバイス。
（項目２８）
前記レーザデバイスは、ＶＣＳＥＬレーザを備える、項目１に記載のデバイス。
（項目２９）
前記デバイスの前記適用端部から放出される前記レーザ放射線は、ＩＥＣ  ６０８２５−１によるＣｌａｓｓ  １Ｍまたはより良好な眼の安全分類を満たす、項目１に記載のデバイス。
（項目３０）
放射線ベースの皮膚科治療を提供するためのデバイスであって、該デバイスは、
ユーザによって手で持たれるように構成されたデバイス本体と、
該デバイス本体の中に支持されたＶＣＳＥＬレーザであって、該ＶＣＳＥＬレーザは、レーザ放射線を放出するように構成されたＶＣＳＥＬビーム源を含む、ＶＣＳＥＬレーザと、
治療期間中に皮膚の表面を横断して手動で移動させられるように構成された適用端部と、
該皮膚に向かってレーザ放射線を放出して皮膚科治療を提供するよう、該ＶＣＳＥＬビーム源を制御するように構成された電子機器と
を備え、
該デバイスは、該レーザ源の下流に光学機器を含まない、デバイス。
（項目３１）
前記ＶＣＳＥＬビーム源の下流に窓またはフィルムをさらに備える、項目３０に記載のデバイス。
（項目３２）
前記適用端部が前記皮膚と接触しているとき、前記ＶＣＳＥＬビーム源は、空隙のみによって前記皮膚表面から分離される、項目３０に記載のデバイス。
（項目３３）
一連のパルス化ビームを前記皮膚まで放出して、該皮膚の上に治療スポットの配列を生成するよう、前記ＶＣＳＥＬビーム源をパルス化するように構成された電子機器をさらに備え、該皮膚の上に生成された隣接した治療スポットは、該隣接した治療スポットの間の治療されない皮膚の領域によって相互から離間される、項目３０に記載のデバイス。
（項目３４）
各治療スポットは、０．４ｍｍ２未満の瞬間的な面積を有する、項目３０に記載のデバイス。
（項目３５）
各治療スポットは、０．１ｍｍ２未満の瞬間的な面積を有する、項目３０に記載のデバイス。
（項目３６）
前記ＶＣＳＥＬビーム源は、エミッタ表面を有し、
該エミッタ表面は、前記適用端部が前記皮膚と接触しているときに、該レーザビーム源の該エミッタ表面が、前記皮膚表面から１０ｍｍ未満だけ離間されるように配設される、項目３０に記載のデバイス。
（項目３７）
前記ＶＣＳＥＬビーム源は、エミッタ表面を有し、
該エミッタ表面は、前記適用端部が前記皮膚と接触しているときに、該レーザビーム源の該エミッタ表面が、前記皮膚表面から１ｍｍ未満だけ離間されるように配設される、項目３０に記載のデバイス。
（項目３８）
前記ＶＣＳＥＬレーザは、単一のＶＣＳＥＬビーム源を備え、該単一のＶＣＳＥＬビーム源は、単一の集合的ビームを生成して単一の治療スポットを生成するように配設された複数のマイクロエミッタを含む、項目３０に記載のデバイス。
（項目３９）
前記集合的ビームは、軸対称である、項目３８に記載のデバイス。
（項目４０）
前記ＶＣＳＥＬレーザは、前記皮膚の上に複数の離散治療スポットを生成するための複数の離散レーザビームを生成するように構成された複数のＶＣＳＥＬビーム源を備え、各ビーム源は、該皮膚の上に該離散治療スポットのうちの１つを生成するための該複数の離散レーザビームのうちの１つを集合的に生成するように配設された複数のマイクロエミッタを含む、項目３０に記載のデバイス。
（項目４１）
前記複数の離散レーザビームの各々は、軸対称である、項目４０に記載のデバイス。
（項目４２）
前記ＶＣＳＥＬレーザは、前記皮膚の上に複数の離散治療スポットを生成するための複数のビーム源を提供するように複数のエミッタゾーンの配列に配設された複数のマイクロエミッタを含み、各エミッタゾーンは、該皮膚の上に該離散治療スポットのうちの１つを生成するための離散レーザビームを集合的に生成するように構成された複数のマイクロエミッタを含む、項目３０に記載のデバイス。
（項目４３）
前記複数のエミッタゾーンの配列は、実質的に１次元の配列を備える、項目４２に記載のデバイス。
（項目４４）
前記複数のエミッタゾーンの配列は、実質的に２次元の配列を備える、項目４２に記載のデバイス。
（項目４５）
前記複数のエミッタゾーンのうちの少なくとも２つは、該少なくとも２つのエミッタゾーンについての少なくとも１つの動作パラメータが独立して制御されることができるように、相互について独立してアドレス指定可能または制御可能である、項目４２に記載のデバイス。
（項目４６）
前記ＶＣＳＥＬレーザをパルス化して一連のパルス化ビームを放出するように構成された電子機器をさらに備え、
該ＶＣＳＥＬレーザは、単一のＶＣＳＥＬビーム源を備えることにより、該ＶＣＳＥＬレーザのパルス毎に単一の治療スポットを生成する、項目３０に記載のデバイス。
（項目４７）
前記ＶＣＳＥＬレーザをパルス化して一連のパルス化ビームを放出するように構成された電子機器をさらに備え、
該ＶＣＳＥＬレーザは、複数の離散ＶＣＳＥＬビーム源を備えることにより、該ＶＣＳＥＬレーザのパルス毎に複数の離散治療スポットを生成する、項目３０に記載のデバイス。
（項目４８）
前記ＶＣＳＥＬレーザによって放出される前記放射線は、前記皮膚表面に対する入射に関して、少なくとも１つの方向において発散性である、項目３０に記載のデバイス。
（項目４９）
前記デバイスの前記適用端部から放出される前記レーザ放射線は、ＩＥＣ  ６０８２５−１によるＣｌａｓｓ  １Ｍまたはより良好な眼の安全分類を満たす、項目３０に記載のデバイス。
（項目５０）
前記デバイスは、手動の滑走モードでの動作に対して構成されている、項目３０に記載のデバイス。
（項目５１）
前記デバイスは、手動の打刻モードでの動作に対して構成されている、項目３０に記載のデバイス。
（項目５２）
放射線ベースの皮膚科治療を提供するための自己内蔵型手持ち式デバイスであって、該デバイスは、
ユーザによって手で持たれるように構成されたデバイス本体と、
該デバイス本体の中に支持されたレーザデバイスであって、該レーザデバイスは、レーザ放射線を放出するように構成されたレーザビーム源を含む、レーザデバイスと、
治療期間中に皮膚の表面を横断して手動で移動させられるように構成された適用端部と、
一連のパルス化ビームを該皮膚まで放出して、該皮膚の上に治療スポットの配列を生成するよう、該レーザビーム源をパルス化するように構成された電子機器であって、該皮膚の上に生成された隣接した治療スポットは、該隣接した治療スポットの間の治療されない皮膚の領域によって相互から離間される、電子機器と
を備え、
該デバイスは、該レーザ源の下流に光学機器を含まない、デバイス。
（項目５３）
放射線ベースの皮膚科治療を提供するための自己内蔵型手持ち式デバイスであって、該デバイスは、
ユーザによって手で持たれるように構成されたデバイス本体と、
該デバイス本体の中に支持され、単一のレーザビームを放出するように構成された単一のレーザビーム源と、
治療期間中に皮膚の表面を横断して手動で移動させられるように構成された適用端部と、
該単一のレーザビームを該皮膚に向かって放出して皮膚科治療を提供するよう、該単一のレーザビーム源を制御するように構成された電子機器と
を備え、
該デバイスは、該レーザ源の下流に光学機器を含まない、デバイス。
（項目５４）
前記単一のレーザビーム源をパルス化して、前記単一のレーザビームを一連のパルスで放出するように構成された電子機器をさらに備える、項目５３に記載のデバイス。
（項目５５）
放射線ベースの皮膚科治療を提供するための自己内蔵型手持ち式デバイスであって、該デバイスは、
ユーザによって手で持たれるように構成されたデバイス本体と、
該デバイス本体の中に支持されたレーザデバイスであって、該レーザデバイスは、レーザ放射線を放出するように構成されたレーザビーム源を含む、レーザデバイスと、
治療期間中に皮膚の表面を横断して手動で移動させられるように構成された適用端部と、
レーザ放射線を該皮膚に向かって放出して皮膚科治療を提供するよう、該レーザビーム源を制御するように構成された電子機器と
を備え、
該デバイスは、該レーザ源の下流に光学機器を含まず、
変位制御システムが、
該皮膚に対する該デバイスの変位を決定するように構成された変位センサと、
該皮膚に対する該デバイスの該決定された変位に基づいて、該デバイスの少なくとも１つの動作パラメータを制御するように構成された電子機器と
を含む、デバイス。